(57)【特許請求の範囲】
【請求項１】
隣接する建造物の床相互間の目地に差し渡されるカバー体の一端に設けられた被連結部が、一方の床の側縁に設けられた連結部に連結されると共に、該カバー体の他端を自由端とし、該自由端が他方の床の側縁に摺動可能に乗載されてなる床用目地カバー装置において、
前記連結部は、
カバー体の被連結部を支持する水平受縁と、該水平受縁の外端から上方に立ち上がる垂直縁とから構成される保持受枠を備えると共に、
該保持受枠の水平受縁に、目地の幅方向に沿って延在するように立設され、上部に、外方に向かって下り勾配で傾斜する案内傾斜部が設けられた案内板部を、目地の方向に複数備えてなり、
前記被連結部は、
カバー体の底面よりも下方に配設されて、前記保持受枠の水平受縁に乗載される乗載板部と、該乗載板部の外端から上方に立ち上がる外板部とを備えると共に、
該乗載板部に、その外端から目地の幅方向に沿って開口形成された長孔状の横孔と、該外板部に、該横孔の外端から上方に連続するように開口形成された長孔状の縦孔とから構成され、前記案内板部に上下方向に移動可能に外嵌される挿通孔を備えてなり、
前記被連結部が、前記連結部に、該連結部の案内板部に沿って上下方向へ移動可能に連結されていることを特徴とする床用目地カバー装置。
【請求項２】
連結部は、
案内板部の外端から外方に延成され且つ該案内板部の下端から下方に延成されたアンカー板部を備え、
該アンカー板部が、保持受枠の水平受縁および垂直縁に開口された貫通孔を介して、該水平受縁の外方および該垂直縁の下方に突成されていることを特徴とする請求項１に記載の床用目地カバー装置。
【請求項３】
連結部は、
案内板部の目地側に、保持受枠の水平受縁に立設されて挿通孔に移動可能に内嵌される複数の連結杆が配設され、
さらに、該連結杆の、水平受縁からの高さが前記カバー体の厚み以上となる上端部位に、被連結部の挿通孔の横孔および縦孔よりも広幅の抜け止め部材が着脱可能に装着されていることを特徴とする請求項１又は請求項２に記載の床用目地カバー装置。
【請求項４】
カバー体は、
その底面の、目地内に配置される部位から下方に突成され、該底面から被連結部側に向かって下り勾配で傾斜する跳上傾斜部を備えていることを特徴とする請求項１乃至請求項３のいずれか１項に記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
近年、地震による被害を最小限に留めるために、緩衝機能を備えた免震装置によって下部を支持した建造物が多く建設されている。こうした免震構造の建造物と隣接する人工地盤等の建造物との間には、地震による変位を吸収し得る比較的広幅の目地が形成されており、かかる目地を覆う床用目地カバー装置が配設されている。
【０００３】
上記の床用目地カバー装置は、隣接する建造物の床相互間の目地に差し渡されるカバー体の一端が、一方の床の側縁に連結されると共に、該カバー体の他端を自由端として、該自由端が他方の側縁に摺動可能に乗載される。そして、地震の際に、一方の建造物と他方の建造物とが近接したり離れたりして相対変位すると、カバー体の自由端が他方の建造物の側縁上を摺動して該相対変位に追従するようになっている。ここで、カバー体の自由端が乗載される他方の建造物の側縁には、カバー体の厚みに相当する深さで窪む凹縁が、目地の幅方向に所定長さで形成されており、常態で、該凹縁にカバー体が載置されて、該カバー体の上面と他方の建造物の床面とが略面一となるようにしている。そして、地震の際に、両建造物が近接すると、カバー体の自由端が凹縁のさらに奥方へ移動して、他方の建造物の床面に乗り上げる。
【０００４】
こうしたカバー体の自由端が摺動する床用目地カバー装置として、カバー体の自由端が建造物の床面に乗り上げた場合に、一方の建造物に連結された部位を支点として該カバー体が傾動して、該自由端がせり上がる片側せり上がり式の構造と、該連結された部位も同様に上方へせり上がる固定側せり上がり式の構造とが知られている。後者の固定側せり上がり式の構造としては、例えば特許文献１のように、カバー体の一端が、一方の建造物の側縁に上下方向に移動可能に連結され、該カバー体の自由端が他方の建造物の床面に乗り上げた際に、カバー体の一端が上方に移動することにより、該カバー体の全体を上方にスライドさせるものである。
【先行技術文献】
【特許文献】
【０００５】
【特許文献１】特許３６８２０１４号公報
【発明の概要】
【発明が解決しようとする課題】
【０００６】
上述した特許文献１の従来構成にあっては、カバー体の一端に、下方に突成された長尺のボルトが配設されると共に、一方の建造物の側縁に、該ボルトを上下方向に移動可能に挿通させる挿通孔が配設されてなり、該ボルトと挿通孔とによって該カバー体の一端を一方の建造物の側縁に連結する連結機構が開示されている。かかる従来の連結機構では、カバー体の自由端が他方の建造物の床面に乗り上げた際に、被連結部のボルトと連結部の挿通孔との案内作用によって、該カバー体を上方にスライドできる。しかしながら、こうした従来構成では、上述したようにカバー体の自由端が他方の建造物の床に乗り上げた際に、前記ボルトと挿通孔との連結部に応力集中が生じ易く、該応力集中によって、該ボルトが折れ曲がってしまうという問題があった。ここで、この応力集中は、地震によりカバー体が摺動した際に発生することから、その力が大きく、長尺のボルトを折曲させ易い。そして、ボルトが折れ曲がってしまうと、カバー体の一端を上下方向に移動させる所望の機能が発揮できなくなることから、該ボルトや挿通孔の交換等の作業が必要となっていた。
【０００７】
本発明は、固定側せり上がり式の構造であって、地震の際に、カバー体の一端と一方の建造物との連結部位に上記問題が生ずることを可及的に抑制し、該カバー体を上下方向に移動させる所望の機能を長期に亘って安定して発揮し得る床用目地カバー装置を提案するものである。
【課題を解決するための手段】
【０００８】
本発明は、隣接する建造物の床相互間の目地に差し渡されるカバー体の一端に設けられた被連結部が、一方の床の側縁に設けられた連結部に連結されると共に、該カバー体の他端を自由端とし、該自由端が他方の床の側縁に摺動可能に乗載されてなる床用目地カバー装置において、前記連結部は、カバー体の被連結部を支持する水平受縁と、該水平受縁の外端から上方に立ち上がる垂直縁とから構成される保持受枠を備えると共に、該保持受枠の水平受縁に、目地の幅方向に沿って延在するように立設され、上部に、外方に向かって下り勾配で傾斜する案内傾斜部が設けられた案内板部を、目地の方向に複数備えてなり、前記被連結部は、カバー体の底面よりも下方に配設されて、前記保持受枠の水平受縁に乗載される乗載板部と、該乗載板部の外端から上方に立ち上がる外板部とを備えると共に、該被支持枠の乗載板部に、その外端から目地の幅方向に沿って開口形成された長孔状の横孔と、該外板部に、該横孔の外端から上方に連続するように開口形成された長孔状の縦孔とから構成され、前記案内板部に上下方向に移動可能に外嵌される挿通孔を備えてなり、前記被連結部が、前記連結部に、該連結部の案内板部に沿って上下方向へ移動可能に連結されていることを特徴とする床用目地カバー装置である。
【０００９】
かかる構成にあっては、地震により両建造物が近接する方向に移動して、カバー体の自由端が他方の建造物の床に乗り上げた際に、該カバー体の被連結部が、一方の床の側縁に設けられた連結部の案内板部に沿って上方に移動することで、該カバー体の全体を上方に安定してスライドさせることができる。このように、本構成は、上記した固定側せり上がり式の構造である。かかる本構成は、一方の床の側縁に設けた保持受枠の案内板部を、カバー体に設けた挿通孔に挿通させることで、該カバー体の一端（被連結部）と一方の床の側縁（連結部）とを連結させたものであり、該案内板部が目地幅方向に延在されていることから、地震の際に、該案内板部と挿通孔との連結部位に生ずる応力集中によって、該案内板部が折れ曲がってしまうことを、可及的に抑制できる。詳述すると、地震により両建造物が近接する方向に移動して、カバー体の自由端が他方の建造物の床に乗り上げる際には、該カバー体に、当該床から一方の建造物側に向かって目地幅方向の力が作用する。前記案内板部は、この力の方向（目地の幅方向）に沿って設けられていることから、該力に対して高い耐力を有し、地震の際に生ずる前記応力集中によって折れ曲がり難くなっている。このように本発明の構成では、カバー体の一端と一方の床の側縁とを連結する案内板部が、地震により生ずる応力集中で折曲し難いことから、前記したカバー体の全体を上方へスライドさせる機能を、長期に亘って安定して発揮できる。
【００１０】
また、上述したように地震等によりカバー体の自由端が他方の床に乗り上げると、該カバー体の一端が上方へ移動し、その後に、該自由端が当該床から降りると、カバー体の一端が自重によって降動して被連結部の乗載板部が保持受枠の水平受縁に再び乗載された状態に戻る。ここで、カバー体の一端が上方へ移動した際に、該カバー体が目地側にずれると、該カバー体の挿通孔の縦孔の上端が案内板部の案内傾斜部上に乗り上げ、その後に降動する際に、カバー体の自重によって該縦孔の上端が案内傾斜部上を外方に向けて滑り落ちて、該カバー体が保持受枠に支持された原位置に戻る。さらに、地震の際にカバー体が上下に揺動した際に、該カバー体が目地側にずれた場合でも、同様に、前記した案内傾斜部の案内作用によって、該カバー体が原位置に戻る。こうした上下の揺動時における目地側へのずれは、地震の際のみならず、該カバー体上の通行による衝撃や振動等によっても生じ得ることから、その発生毎に、該カバー体を前記原位置に戻すことができる。このように本構成によれば、カバー体が目地側にずれた場合でも、一方の建造物の側縁に設けられた保持受枠の垂直縁と、カバー体の一端に設けられた外板部との間に、比較的大きな隙間が生じたままとなってしまうことを防止できる。
【００１１】
上述した本発明の床用目地カバー装置にあって、連結部は、案内板部の外端から外方に延成され且つ該案内板部の下端から下方に延成されたアンカー板部を備え、該アンカー板部が、保持受枠の水平受縁および垂直縁に開口された貫通孔を介して、該水平受縁の外方および該垂直縁の下方に突成されている構成が提案される。
【００１２】
かかる構成にあっては、保持受枠の外方および下方に突成されたアンカー板部が、一方の建造物の床に、直接的に固定されることから、当該床に強固に固定されて配設され得る。これにより、アンカー板部と一体の案内板部が、目地幅方向に一層しっかりと固定された状態で保持されるため、上記した目地幅方向に沿った力に対して一層高い耐力を発揮できる。さらに、アンカー板部によって、保持受枠が一方の建造物の床に一層強固に固定されることから、地震の際に、大きな力が作用しても、該保持受枠を当該床に固定された状態で安定して保持できる。したがって、本構成は、被連結部と連結部とが正常に連結された状態で安定して保持する効果に優れることから、地震等の際に、上記したカバー体を上方へスライドさせる機能が一層安定かつ確実に発揮できる。
【００１３】
上述した本発明の床用目地カバー装置にあって、連結部は、案内板部の目地側に、保持受枠の水平受縁に立設されて挿通孔に移動可能に内嵌される複数の連結杆が配設され、さらに、該連結杆の、水平受縁からの高さが前記カバー体の厚み以上となる上端部位に、被連結部の挿通孔の横孔および縦孔よりも広幅の抜け止め部材が着脱可能に装着されている構成が提案される。
【００１４】
かかる構成にあっては、カバー体が上方へ移動した際に、該カバー体の挿通孔の孔縁が抜け止め部材に当接することにより、カバー体の被連結部が保持受枠から脱出してしまうことを防止でき、両者を連結した状態で安定して保持できる。また、抜け止め部材は、挿通孔の縦孔を挿通不能であることから、カバー体の外板部に当接することによって、該カバー体の目地幅方向への移動を制限する。そのため、地震等によりカバー体が目地側にずれても、そのずれ幅が抜け止め部材により制限され、保持受枠の垂直縁とカバー体の外板部との間に比較的大きな隙間が生ずることを防止できる。また、抜け止め部材が、水平受縁からカバー体の厚み以上の高さ位置に設けられていることから、上述したようにカバー体の自由端が他方の建造物の床に乗り上げた際に、該カバー体を上方へ略平行にスライドさせることができる。
【００１５】
上述した本発明の床用目地カバー装置にあって、カバー体は、その底面の、目地内に配置される部位から下方に突成され、該底面から被連結部側に向かって下り勾配で傾斜する跳上傾斜部を備えている構成が提案される。
【００１６】
かかる構成にあっては、地震等により両建造物が近接する方向に移動した際に、跳上傾斜部が他方の建造物の側端に当接することにより、カバー体が該跳上傾斜部の勾配に従って上方へ移動する。そのため、前記のように両建造物が近接する方向に移動すると、カバー体の自由端と、跳上傾斜部を配設した部位とが上方へ動くことから、カバー体の全体が上方へ移動し易くなる。そして、これに伴って、カバー体の一端（被連結部）が比較的容易かつ安定して上方へ移動し易くなるため、総じて、カバー体の全体を上方へ略平行にスライドさせることができる。
【発明の効果】
【００１７】
本発明の床用目地カバー装置によれば、地震によりカバー体の自由端が他方の建造物の床に乗り上げた際に、被連結部の案内板部と連結部の挿通孔との連結部位に生ずる応力集中によって、該案内板部が折れ曲がってしまうことを、可及的に抑制できる。したがって、被連結部の案内板部と連結部の挿通孔とによるカバー体の全体を上方へスライドさせる機能を、長期に亘って安定して発揮できる。また、地震等によりカバー体が目地側にずれた場合にあっても、カバー体を原位置に戻すことができるため、一方の建造物に配設された保持受枠の垂直縁と、カバー体の一端に設けられた外板部との間に、比較的大きな隙間が生じたままになってしまうことを防止できる。
【図面の簡単な説明】
【００１８】
【図１】本実施例の床用目地カバー装置１の施工状態を示す縦断面図である。
【図２】カバー体２と摺動受枠６１および保持受枠３２とを示す平面図である。
【図３】施工状態における、被連結部２１と連結部３１との連結部分を前後方向に縦断した拡大断面図である。
【図４】被連結部２１と連結部３１との連結部分を横方向に縦断した拡大断面図である。
【図５】被連結部２１と連結部３１との連結部分を横断した拡大断面図である。
【図６】被連結部２１と連結部３１との連結部分を縦断した分解斜視図である。
【図７】カバー体２の自由端が、建造物８２の床８６に乗り上げた状態を示す縦断面図である。
【図８】被連結部２１と連結部３１との連結部分の、作動態様を示す説明図である。
【図９】図７の状態における、被連結部２１と連結部３１との連結部分を示す説明図である。
【発明を実施するための形態】
【００１９】
本発明にかかる実施例を添付図面に従って説明する。
実施例の床用目地カバー装置１は、図１，２に示すように、隣接する建造物８１，８２間に設けられた目地８３を覆うように配設されるものである。ここで、一方の建造物８１は、緩衝機能を備えた免震装置（図示せず）によって下部が支持された免震構造の建造物であり、他方の建造物８２は、該建造物８１の周囲に形成された人工地盤からなる建造物であり、建造物８１と建造物８２とが目地８３を介して隣接している。目地８３は、建造物８１の周囲に沿って所定幅で形成され、地震の際における建造物８１と周囲の建造物８２との水平方向の相対的な揺れを吸収し得るようになっている。尚、本実施例にあって、目地８３の幅方向が、床用目地カバー装置１の前後方向であると共に、該目地８３に沿った方向を、該床用目地カバー装置１の横方向として説明する。そのため、カバー体２の後端が、本発明にかかるカバー体２の一端に相当し、該カバー体２の前端が、本発明にかかるカバー体２の他端に相当する。
【００２０】
上記他方の建造物８２の床８６の側縁には、後述するカバー体２の厚みに相当する深さで窪ませた支持段縁９１が、前後方向に所定幅で形成されており、該支持段縁９１に摺動受枠６１が配設されている。摺動受枠６１は、支持段縁９１の上面を覆う水平状の凹部受縁６１ａと、該凹部受縁６１ａの前端から所定傾斜角度で立ち上がる傾斜縁６１ｂと、床８６の上面を覆う床受縁６１ｃとを備え、該凹部受縁６１ａと床受縁６１ｃとが傾斜縁６１ｂを介して連成されてなる。この摺動受枠６１は、目地８３に沿った横方向に延在するように配設されており、その横方向長さは複数個のカバー体２を並設し得る長さとなっている。
【００２１】
上記建造物８１の床８５と建造物８２の床８６との間には、目地８３を覆うようにカバー体２が差し渡され、複数個の該カバー体２が、該目地８３に沿う横方向に連続状に並設される。カバー体２は、その一端（後端）に設けられた被連結部２１と建造物８１の床８５の側縁に設けられた連結部３１とを介して、該建造物８１の床８５に連結されている。そして、カバー体２は、他端（前端）を自由端としており、該自由端が、上記した支持段縁９１に配設された摺動受枠６１上に摺動可能に乗載される。尚、前記の被連結部２１および連結部３１は、本発明の要部にかかり、詳細は後述する。
【００２２】
カバー体２は、上面が開口した浅底矩形状の主筐体部１１と、該主筐体部１１の前部に配設されて前方へ突出された端部カバー板１２とを備える。主筐体部１１は、ステンレス製又はスチール製の薄肉鋼板から成形されてなり、矩形状の底板部（図示せず）と、該底板部の左右側端から夫々立設された左右の側壁部（図示せず）と、該底板部の前端から立設された前壁部（図示せず）とを備える。さらに、底板部の後端には、後述する外板部２２ｂが接合されて、該外板部２２ｂの上部が該底板部の後端から上方に突出している。左右の側壁部と前壁部との当接縁および該側壁部と外板部２２ｂとの当接縁は溶接を介して固着されている。また、底板部上には、複数の補強梁１３が目地８３の幅方向に沿って所定間隔で配設されている。各補強梁１３は、底板部に溶接を介して固着されており、該底壁部の面方向の強度と剛性とを向上させる。
【００２３】
上記の端部カバー板１２は、ステンレス製又はスチール製の長方形状の鋼板からなり、主筐体部１１の前壁部に蝶番１４を介して接続されている。端部カバー板１２は、該蝶番１４によって、上下方向に傾動可能となっている。また、端部カバー板１２の左右両端には、略三角形状の側板部１５，１５が設けられている。この側板部１５，１５は、その上縁が端部カバー板１２の底面に溶接を介して固着され、該上縁の前端から後方へ下方傾斜する第一傾斜縁（図示せず）と、該上縁の後端から前方へ下方傾斜する第二傾斜縁（図示せず）とを備える。端部カバー板１２は、水平方向に沿った状態から下方へ傾動した際に、前記側板部１５，１５の第二傾斜縁が主筐体部１１の前壁部に当接して、これ以上傾動できないことから、該第二傾斜縁と該前壁部とのなす角度まで、該水平な状態から下方へ傾動可能となっている（図７参照）。
【００２４】
尚、カバー体２の主筐体部１１の内部には、施工時に周囲の床８５，８６上に敷設されるモルタルやタイル等からなる舗装材１９と同じ舗装材１９が充填される。
【００２５】
こうしたカバー体２の自由端は、図１に示すように、主筐体部１１の前壁部と上記した摺動受枠６１の傾斜縁６１ｂとの間に適宜幅の間隙が生じるようにして該摺動受枠６１の凹部受縁６１ａ上に乗載される。また、端部カバー板１２は、建造物８２の床８６側に向けて突出されて、摺動受枠６１の床受縁６１ｃ上に乗載されている。この端部カバー板１２によって、前記前壁部と傾斜縁６１ｂとの間隙の上方が遮蔽される。
【００２６】
次に、本発明の要部について説明する。
建造物８１の床８５の側縁に連結されるカバー体２の一端（後端）には、図１，２に示すように、建造物８１の床８５の側縁に設けられた連結部３１と連結される被連結部２１が設けられており、被連結部２１が該カバー体２の主筐体部１１の底面（底板部）よりも下方に突出されている。被連結部２１は、図３〜６に示すように、ステンレス製又はスチール製の鋼板からなり、カバー体２を構成する主筐体部１１の下方に配設された帯板状の乗載板部２２ａと、該乗載板部２２ａの後端から立設された上記外板部２２ｂと、該乗載板部２２ａの前端から立設されて該主筐体部１１の底面（底板部）に接合された下壁部２２ｃとを備え、該乗載板部２２ａ、外板部２２ｂ、および下壁部２２ｃが、カバー体２の横方向に亘って設けられている。そして、主筐体部１１の左右の側壁部は、その後端部が下方に延成されており、乗載板部２２ａ、外板部２２ｂ、および下壁部２２ｃと夫々当接して溶接されている。
【００２７】
さらに、カバー体２の主筐体部１１の底板部には、上記乗載板部２２ａの両側端の直上に位置する部位に、上下方向に貫通する開口部（図示せず）が夫々形成されており、各開口部に、角パイプ状の区画筒２４，２４が夫々嵌入されて配設されている。各区画筒２４は、前記開口部に嵌入された状態で主筐体部１１に溶接されると共に、その下端が乗載板部２２ａに溶接されている。そして、各区画筒２４により夫々囲繞された内部に、上記の舗装材１９が充填されない内部空隙が形成される。尚、各区画筒２４は、外板部２２ｂの内面と夫々に面接触されて配設されている。
【００２８】
こうした被連結部２１には、図６に示すように、各区画筒２４を配設した両側部位に、後述する連結杆３３と案内用連結材３７の案内板部３８とを下方から遊嵌可能な挿通孔２６が夫々形成されている。各挿通孔２６は、乗載板部２２ａに開口形成された、前後方向（目地８３の幅方向）に沿った長孔状の横孔２６ａと、外板部２２ｂおよび区画筒２４に開口形成された、該横孔２６ａの後端（外端）から上方に連続する長孔状の縦孔２６ｂとから構成されてなる。各横孔２６ａは、連結杆３３と案内板部３８と遊嵌可能であると共に、各縦孔２６ｂは、該案内板部３８を遊嵌可能である。
【００２９】
一方、建造物８１の床８５の側縁には、図３〜６に示すように、上記した連結部３１を構成する保持受枠３２が目地８３に沿って配設されている。保持受枠３２は、水平受縁３２ａと該水平受縁３２ａの後端（外端）から上方に立ち上がる垂直縁３２ｂとを備えた断面Ｌ形に形成されており、該水平受縁３２ａに、上述したカバー体２の乗載板部２２ａが乗載される。そして、この保持受枠３２は、水平受縁３２ａに該乗載板部２２ａが乗載された状態で、カバー体２の上面が、建造物８１の床８５の上面と略面一となるように、該床８５の側縁に配設される。尚、保持受枠３２は、ステンレス製又はスチール製の鋼板から形成されてなる。
【００３０】
保持受枠３２の水平受縁３２ａには、図６に示すように、該カバー体２の乗載板部２２ａに設けられた挿通孔２６の横孔２６ａに対応する部位に、前後方向に沿って長孔状の水平孔３４ａが開口形成されると共に、垂直縁３２ｂには、該挿通孔２６の縦孔２６ｂに対応する部位に、該水平孔３４ａの後端から上方に連続する長孔状の垂直孔３４ｂが開口形成されており、該水平孔３４ａと垂直孔３４ｂとより貫通孔３４が構成されている。そして、貫通孔３４に、ステンレス製又はスチール製の鋼板からなる倒台形状の案内用連結材３７が前後方向に沿って嵌入されて、該案内用連結材３７と水平受縁３２ａおよび垂直縁３２ｂとが溶接されている。案内用連結材３７は、水平受縁３２ａの上方かつ垂直縁３２ｂの前方に配置される案内板部３８と、該水平受縁３２ａの下方および垂直縁３２ｂの後方に突出するアンカー板部３９とから構成される。案内板部３８は、前後方向（目地８３の幅方向）に沿って延在されるように水平受縁３２ａ上に配置され、下部の案内本体部３８ｂと該案内本体部３８ｂから上方に延成された案内傾斜部３８ａとを備える。案内傾斜部３８ａは、その前端から後方へ向けて下り勾配で傾斜して垂直縁３２ｂに達するように設けられている。
【００３１】
各案内板部３８，３８は、図３〜６に示すように、保持受枠３２の水平受縁３２ａ上に、カバー体２の被連結部２１を構成する乗載板部２２ａが乗載された状態で、該被連結部２１の両側端に夫々設けられた挿通孔２６に下方（及び後方）から遊嵌されており、該被連結部２１の外板部２２ｂが該保持受枠３２の垂直縁３２ｂと当接または極僅かな隙間（約２ｍｍ以下）を介して近接する。ここで、被連結部２１が保持受枠３２に乗載された常態では、挿通孔２６の縦孔２６ｂの上端が該案内板部３８の案内傾斜部３８ａ上に当接されている。また、案内傾斜部３８ａの傾斜角度は、４０°〜５０°程度の急勾配に設定されていることから、該案内傾斜部３８ａ上に乗り上げた被連結部２１の外板部２２ｂを自重によって滑り落とすことができる。
【００３２】
さらに、上記保持受枠３２の水平受縁３２ａには、各水平孔３４ａの前端と夫々隣接する位置に、該水平受縁３２ａの下面側から挿通して溶接介して固着されたボルトからなる連結杆３３が夫々立設されている。各連結杆３３は、隣接する貫通孔３４に嵌入されて配設された案内用連結材３７の案内板部３８と溶接を介して固着されている。また、各連結杆３３は、その上部が、上記の案内板部３８の上端よりも上方へ突出するように設けられている。こうした各連結杆３３は、上述したように、保持受枠３２の水平受縁３２ａ上に被連結部２１の乗載板部２２ａが乗載された状態で、該乗載板部２２ａに設けられた各横孔２６ａに下方から遊嵌される。そして、この状態で、ステンレス又はスチール製平板からなる抜け止め部材４０が、鍔または座金を備えたナット４４（図６参照）によって、連結杆３３の上部に螺合されて装着されている。抜け止め部材４０は、前記挿通孔２６の横孔２６ａおよび縦孔２６ｂよりも広幅に形成されていることから、被連結部２１の上方または前方への脱出を防止できる。
【００３３】
ここで、抜け止め部材４０を装着した位置は、水平受縁３２ａからの高さ寸法が、カバー体２の主筐体部１１の厚み寸法よりも長くなっている。そのため、保持受枠３２に乗載された被連結部２１は、前記主筐体部１１の厚み寸法よりも長い距離を上方へ移動可能であることから、後述のように該カバー体２の全体を上方へスライドできる（図９参照）。また、抜け止め部材４０は、その後端４０ａが、連結杆３３に装着された状態で、被連結部２１の外板部２２ｂと近接するように配置されている。そのため、被連結部２１が保持受枠３２に対して前方へ移動した際に、抜け止め部材４０の後端４０ａに該被連結部２１の外板部２２ｂが当接することで、該被連結部２１の前方への移動（変位）が制限される（図８参照）。すなわち、抜け止め部材４０の後端４０ａと外板部２２ｂとの隙間により、該被連結部２１の前方への移動できる距離が定まっている。
【００３４】
尚、上記の保持受枠３２は、図１，３に示すように、建造物８１に固着されるものであり、該保持受枠３２の外方および下方に突出する案内用連結材３７のアンカー板部３９が、該建造物８１の床８５に敷設される舗装材１９等により埋め込まれる。そのため、案内板部３８は、アンカー板部３９を介して建造物８１に強固と固定されて配設されると共に、保持受枠３２も、該アンカー板部３９を介して該建造物８１に一層強固に固定される。また、こうした被連結部２１の挿通孔２６，２６が形成された上記の区画筒２４の上部開口は、抜け止め部材４０の取り付け作業等を可能とする作業用口となっており、図３〜６に示すように、遮蔽蓋４１が着脱可能に取り付けられる。
【００３５】
一方、カバー体２には、図１，２に示すように、主筐体部１１の底面（底板部）に、下方に突出する跳上杆４２，４２が目地８３の幅方向（前後方向）に沿って配設されている。跳上杆４２，４２は、カバー体２の両側寄りの部位に夫々配設されており、その後端が、被連結部２１の下壁部２２ｃに当接されるように設けられている。そして、各跳上杆４２は、主筐体部１１の底面から下方に突出した上下方向の寸法が、カバー体２の主筐体部１１の厚み寸法と略同じとなっており、カバー体２が目地８３に差し渡された状態で、上記した建造物８２に配設された摺動受枠６１の凹部受縁６１ａよりも下方に配置される。さらに、各跳上杆４２の前端部には、前方に向かって上り勾配で傾斜する跳上傾斜部４３が夫々形成されている。この跳上傾斜部４３は、カバー体２を目地８３に配設した場合に、該目地８３の内に位置すると共に、建造物８２に配設された摺動受枠６１の後端との前後方向の間隔が、上記した主筐体部１１の前壁部と該摺動受枠６１の傾斜縁６１ｂとの間隔よりも若干短くなるように、前後方向（目地８３の幅方向）の配設位置が設定されている。これにより、地震等により両建造物８１，８２が近接する方向に移動した場合に、カバー体２の主筐体部１１が摺動受枠６１の傾斜縁６１ｂに接触するよりも先に、該摺動受枠６１の後端に接触することによって、該カバー体２の自由端を摺動受枠６１の床受縁６１ｃへ乗り上げ易くしている。尚、跳上杆４２は、ステンレス製又はスチール製の鋼板から形成されてなる。
【００３６】
次に、本実施例の床用目地カバー装置１の作動態様について説明する。
カバー体２は、図１に示すように、舗装材１９が充填された主筐体部１１の上面が、建造物８１の床８５の上面および建造物８２の床８６の上面と略面一となるように、目地８３に差し渡されて配設される。
【００３７】
床用目地カバー装置１は、地震の際に、建造物８１と建造物８２とが近接する方向に相対変位すると、図７に示すように、カバー体２の自由端が、該建造物８２の摺動受枠６１の凹部受縁６１ａ上を摺動して、該摺動受枠６１の傾斜縁６１ｂを介して床受縁６１ｃに乗り上げる。この際には、カバー体２の下部に配設された跳上杆４２，４２の跳上傾斜部４３が、摺動受枠６１の後端に接触して、カバー体２を上方に押し上げることから、該カバー体２の自由端が床受縁６１ｃに乗り上げ易い。さらに、このようにカバー体２の自由端と跳上傾斜部４３の配設部位とが上方に押し上げられることにより、該カバー体２の一端も上方へ移動する。ここで、カバー体２の一端に設けられた被連結部２１は、その挿通孔２６，２６に遊嵌された案内板部３８，３８に沿って上方に移動可能であることから、前記自由端と跳上傾斜部４３の配設部位との移動に伴って、図８に示すように、保持受枠３２の水平受縁３２ａに対して上方へ移動する。特に、カバー体２の、跳上傾斜部４３よりも後側部分は、跳上杆４２により剛性が一層向上していることから、該跳上傾斜部４３の上方移動が被連結部２１にダイレクトに作用し易く、該被連結部２１を上方へ移動させ易くなっている。こうして、カバー体２の全体が略平行に上方へ動く。そして、図７，９に示すように、カバー体２の自由端が摺動受枠６１の床受縁６１ｃに乗り上げると、被連結部２１が、該カバー体の主筐体部１１の厚み寸法と同じ高さ分だけ保持受枠３２の水平受縁３２ａから上方に位置し、カバー体２は、その全体が主筐体部１１の厚み分だけ上昇した位置で、略水平方向に沿って保たれ得る。
【００３８】
また、カバー体２の自由端が摺動受枠６１の床受縁６１ｃに乗り上げた後に、建造物８１と建造物８２とが逆方向（離れる方向）に相対変位すると、該カバー体２が、跳上杆４２，４２の跳上傾斜部４３，４３により序々に下方へ移動する。これに伴って、カバー体２の被連結部２１も下方へ移動することから、該カバー体２の全体が下方へスライドしていき、該カバー体２の自由端が摺動受枠６１の凹部受縁６１ａ上に乗載されると共に、該被連結部２１の乗載板部２１ａが保持受枠３２の水平受縁３２ａ上に乗載される。
【００３９】
尚、こうしたカバー体２の上下方向への移動の際に、該カバー体２の被連結部２１は、図８に示すように、その外板部２２ｂが保持受枠３２の連結杆３３に装着された抜け止め部材４０の後端４０ａと当接することによって、前方への変位が制限される。そのため、カバー体２が上方へスライドした際に、保持受枠３２の垂直縁３２ｂと被連結部２１の外板部２２ｂとの隙間が大きく開いてしまうことを防止できる。また、カバー体２が下方へ移動する際には、図８（ａ）に示すように、被連結部２１の挿通孔２６，２６の縦孔２６ｂ，２６ｂの上端が、案内板部３８の案内傾斜部３８ａ上に一時的に乗り上げる状態となり、該案内傾斜部３８ａの下り勾配に従って外方に滑り落ちていくことから、該カバー体２が原位置に戻る。そのため、保持受枠３２の垂直縁３２ｂと被連結部２１の外板部２２ｂとの隙間が大きく開いてしまうことを防止できる。このようにカバー体２は、地震時などの上下移動によっても、保持受枠３２の垂直縁３２ｂと被連結部２１の外板部２２ｂとの隙間が大きく開いてしまうことがない。また、地震、又はカバー体上の通行による衝撃や振動等によって、カバー体２が上下に揺動した際に、該カバー体２が前方へずれた場合にあっても、前記のように、前方にずれる変位が抜け止め部材４０の後端４０ａによって制限されると共に、案内傾斜部３８ａにより該カバー体２が原位置に戻る。そのため、カバー体２は、上下揺動に伴って前方へずれても、保持受枠３２の垂直縁３２ｂと被連結部２１の外板部２２ｂとの隙間が大きく開いてしまうことを防止できる。
【００４０】
また、本実施例の構成にあっては、カバー体２と建造物８１の床８５とが被連結部２１と保持受枠３２（連結部）とを介して連結されており、該カバー体２が上下方向に移動している際には、図８に示すように、主に該被連結部２１の挿通孔２６，２６の孔縁と案内板部３８，３８および連結杆３３，３３とが連結するのみとなる。そのため、上記のようにカバー体２の自由端が摺動受枠６１の床受縁６１ｃに乗り上げる際に、該カバー体２に作用する前後方向の応力が、挿通孔２６を介して案内板部３８および連結杆３３に集中し易い。ここで、カバー体２に作用する応力は、該カバー体２の自由端が摺動受枠６１の傾斜縁６１ｂや床受縁６１ｃに衝突すること及び／又は跳上杆４２，４２の跳上傾斜部４３，４３が摺動受枠６１の後端に衝突することによって発生し、比較的大きな力を有する。こうした応力に対して、案内板部３８は、該応力の作用する方向に沿って設けられていることから、高い耐力を発揮することができ、該応力の集中によって折れ曲がってしまうことが可及的に抑制され得る。尚、連結杆３３は、案内板部３８と溶接されて補強されていることから、同様に折れ曲がってしまうことが抑制される。
【００４１】
さらに、本実施例では、案内板部３８は、保持受枠３２の貫通孔３４を介して外方および下方に突出されたアンカー板部３９と一体であり且つ該アンカー板部３９が建造物８１の床８５に舗装材１９により埋設されていることから、目地８３の幅方向（前後方向）に強固に固定されている。そのため、案内板部３８は、上記した目地８３の幅方向に沿った応力に対して一層高い耐力を発揮でき、該応力の集中による不具合の発生を防止する効果が一層向上する。また、保持受枠３２も、アンカー板部３９を介して建造物８１の床８５に一層強固に固定されることから、地震等により大きな力が作用しても、該床８５に設置した状態で安定して保持され得る。本実施例の構成では、案内板部３８と保持受枠３２とを備えた連結部３１が建造物８２の床８５に強固に固定されて、高い耐力を発揮できることから、地震等により大きな力が作用しても、被連結部２１と正常に連結された状態で安定して保つことができ、該被連結部２１を上方へ移動させる機能が長期に亘って安定かつ確実に発揮され得る。
【００４２】
本発明にあっては、上述した実施例に限定されるものではなく、この実施例以外の構成についても本発明の趣旨の範囲内で適宜変更して実施可能である。
上述の実施例では、カバー体２に、跳上傾斜部４３を備えた跳上杆４２が配設された構成であるが、その他の構成として、該跳上杆４２を配設されない構成としても良い。この構成では、建造物８１と建造物８２が近接する方向に相対変位した場合に、カバー体２の自由端が、摺動受枠６１の傾斜縁６１ｂを介して上方へ乗り上げていき、これに伴って、カバー体２の被連結部２１が上方へ移動する。こうしてカバー体２の全体が上方へスライドできる。
また、上述した実施例にあって、被連結部２１の区画筒２４は、案内板部３８および連結杆３３を上下方向に相対移動可能な空隙を形成するためのものであることから、当該空隙を形成できるものであれば、該区画筒２４の形態に限定されない。例えば、主筐体部１１の底板部に開口した開口部から上方へのみ突出する区画筒を、配設するようにしても良いし、平面視Ｌ形の区画壁を配設するようにしても良い。又は、円筒形の区画筒を配設するようにしても良い。
【符号の説明】
【００４３】
１  床用目地カバー装置
２  カバー体
２１  被連結部
２２ａ  乗載板部
２２ｂ  外板部
２６  挿通孔
２６ａ  横孔
２６ｂ  縦孔
３１  連結部
３２  保持受枠
３２ａ  水平受縁
３２ｂ  垂直縁
３３  連結杆
３４  貫通孔
３８  案内板部
３８ａ  案内傾斜部
３９  アンカー板部
４０  抜け止め部材
４３  跳上傾斜部
８１，８２  建造物
８３  目地
８５，８６  床
【図１】
0006739787.tif 000002
【図２】
0006739787.tif 000003
【図３】
0006739787.tif 000004
【図４】
0006739787.tif 000005
【図５】
0006739787.tif 000006
【図６】
0006739787.tif 000007
【図７】
0006739787.tif 000008
【図８】
0006739787.tif 000009
【図９】
0006739787.tif 000010